(57)【要約】      （修正有） 【課題】より計測しやすく、計測目盛を視認しやすい竹尺を提供する。【解決手段】レーザー加工により形成された計測目盛及び計測目盛に付された数字を有する。レーザー加工により形成された計測目盛及び計測目盛に付された数字を備えており、上記のように、レーザー加工は光による非接触加工であることから、従来とは異なり、竹尺本体表面に直接に傷を付けることにより刻印して表示部を形成することはないため、表示部の形成作業において竹尺本体が破断するおそれはない。その結果、従来のように、小さな数字や文字のみしか形成できない、ということはなく、所望の大きさの数字や文字を有する竹尺を実現することができる。【選択図】図１
0003171389.tif 000002
【実用新案登録請求の範囲】
【請求項１】
レーザー加工により形成された計測目盛及び計測目盛に付された数字を有することを特徴とする竹尺。
【請求項２】
先端縁には０目盛が付されていることを特徴とする請求項１記載の竹尺。
【請求項３】
１０ｃｍ毎の上記計測目盛に付された数字はその他の数字よりも竹尺本体の幅方向内方に配置されていることを特徴とする請求項１記載の竹尺。
【考案の詳細な説明】
【技術分野】
【０００１】
本考案は、竹尺の改良に関する。
【背景技術】
【０００２】
一般に、会社の事務、家庭、学校の授業等で使用される定規はプラスチック製のものが多いが、従来から竹尺も使用されている。特に、学校の授業においては、竹尺は、学習指導要領に基づき、小学校２年で初めて算数の授業において「長さを測る」学習に使用される。
素材としての竹はプラスチックに比して温度差による伸縮が少なく、表面に設けられた目盛位置のずれが少なく、竹尺を使用した場合には正確な測定が可能となることから、プラスチック製の定規と共に多数使用されてきている。
【０００３】
このような竹尺の表面部に付された計測目盛及びその他の表示は以下のような手順で作成されていた。即ち、まず、目盛が付与された基準器を使用して１ｍｍづつ、刃で竹尺本体の表面部に計測目盛を形成するための傷を幅方向に沿って付けて線状の計測目盛を形成する。
【０００４】
次に、上記傷が付けられた部分に墨汁を載せ、上から拭きとることにより傷つけた部分にのみ墨汁が入り黒くなる。その後、余分な墨汁を払しょくして除去することにより黒く表示された計測目盛が作成される。
【０００５】
また、５ｃｍ、１０ｃｍの線状の計測目盛に付加される半円等の表示部はドリルを用いて切削して形成する。上記墨以外の色の部分は事後的に色づけを行う。
【０００６】
ところで、このような竹尺にあっては、従来は、計測目盛のみが付されており、プラスチック製の定規のように計測目盛に対応する数字は付されてはいない。
【０００７】
これは、竹尺の場合、竹尺本体表面に物理的に傷を付けることにより計測目盛及び表示部を形成することから、場合によっては竹尺本体が破断してしまう事態を回避するためであり、結果的に、従来は計測目盛に対応する数字は付されてはおらず、小さな説明用の数字や「日本製」等の文字のみしか表示されていなかった。
【０００８】
また、このような従来の竹尺の製造手順においては、物理的な刻印により竹尺本体の表面部に文字や数字を形成することから、鮮明な輪郭の文字や数字を形成することはできなかった。
その結果、従来、特に、小学校の授業で竹尺が使用された場合には、上記のように計測目盛に対応する数字はないため計測作業がやりにくい場合もあることから、生徒の算数の授業の学習効率に影響する、という問題があった。
【考案の開示】
【考案が解決しようとする課題】
【０００９】
本考案はこのような従来からの不具合を解決するためのものであって、その課題は、より計測しやすく、特に学校の授業に使用された場合に、生徒の学習効率を向上させることができる竹尺を提供することにある。
【課題を解決するための手段】
【００１０】
上記課題達成のため、請求項１記載の考案に係る竹尺は、レーザー加工により形成された計測目盛及び計測目盛に付された数字を有することを特徴とする。
【００１１】
ここで「レーザー」とは、光（電磁波）を増幅し、コヒーレントな光を発生させる装置又はその光そのものを指し、「レーザー加工」とは、そのようなレーザー光を利用して多様な素材の表面に対して適宜の文字、模様等の刻印、又は素材の切断を行う加工方法をいう。
【００１２】
このようなレーザー加工は、光による非接触加工であることから、レーザー装置に装着される集光レンズの焦点深度内であれば加工素材表面に凹凸があったり、湾曲している場合であっても加工を行うことができる。
【００１３】
請求項２記載の考案にあっては、先端縁には０目盛が付されていることを特徴とする。
【００１４】
請求項３記載の考案にあっては、１０ｃｍ毎の上記計測目盛に付された数字はその他の数字よりも竹尺本体の幅方向内方に配置されていることを特徴とする。
【考案の効果】
【００１５】
請求項１記載の考案に係る竹尺は、レーザー加工により形成された計測目盛及び計測目盛に付された数字を備えており、上記のように、レーザー加工は光による非接触加工であることから、従来とは異なり、竹尺本体表面に直接に傷を付けることにより刻印して表示部を形成することはないため、表示部の形成作業において竹尺本体が破断するおそれはない。
【００１６】
その結果、従来のように、小さな数字や文字のみしか形成できない、ということはなく、所望の大きさの数字や文字を有する竹尺を提供することができる。
従って、計測目盛のみならず、計測目盛に対応する数字を適宜に表示することができる。
【００１７】
また、レーザー装置の場合には、レーザー装置に装着される集光レンズの焦点深度以内であれば加工素材表面に凹凸があったり、湾曲している場合でも加工を行うことができる。その結果、竹尺本体の表面部が幅方向に湾曲している場合であっても、竹尺本体の表面に計測目盛及び計測目盛に付される数字を容易かつ迅速に形成することができる。
【００１８】
また、レーザー加工装置に連動したパソコン等の画像処理ソフトウェアの操作により各種の刻印データをそのままレーザー加工装置に伝送することができることから、容易に数字やその他の表示をレーザー加工装置を用いて竹尺本体に刻印することができる
【００１９】
さらに、レーザー加工にあっては、ピーク出力の高い熱エネルギーを、対象となる竹材に対して照射することにより、竹材の表面の素材を変化させて刻印することから、長年使用された場合においても脱落するおそれのない、外見上、非常にクリアな計測目盛及び計測目盛に付される数字を刻印することができる。
【００２０】
その結果、従来の竹尺とは異なり、計測目盛及び計測目盛に付された数字の視認性が高く計測効率が良く、使用しやすく、かつ経年時においても計測目盛及び計測目盛の付された数字の視認性が劣ることの少ない竹尺を提供することができる。
また、特に、学校の授業で使用された場合には、計測目盛に付された数字が設けられていることから、生徒は上記数字に基づき計測作業を容易に行うことができるため、生徒の学習効率を向上させることができる。
【００２１】
請求項２記載の考案にあっては、先端縁には０目盛が付されていることから竹尺本体の先端縁から直接に計測することができる計測効率の高い竹尺を提供することができる。
【００２２】
請求項３記載の考案にあっては、請求項３記載の考案にあっては、１０ｃｍ毎の上記計測目盛に付された数字はその他の数字よりも幅方向内方に配置されていることから、より計測目盛に付された数字の視認性の高い竹尺を提供することができる。
【図面の簡単な説明】
【００２３】
【図１】本考案に係る竹尺の一実施の形態を示す平面図である。
【考案を実施するための最良の形態】
【００２４】
以下、添付図面に示す実施の形態に基づき、本考案を詳細に説明する。
図１に示すように、本実施の形態に係る竹尺１０は、レーザー加工により形成された計測目盛１１及び計測目盛に付された数字１２を有している。
【００２５】
即ち、本実施の形態にあっては、竹尺本体１３の表面部１８には、レーザー加工により形成された、１ｍｍ毎の計測目盛１１ａ、５ｍｍ毎の計測目盛１１ｂ、１ｃｍ毎の計測目盛１１ｃ、５ｃｍ毎の計測目盛表示１１ｄ、１０ｃｍ毎の計測目盛表示１１ｅが設けられていると共に、１ｃｍ毎の計測目盛１１ｃに対応する数字１２ａ及び５ｃｍ毎の計測目盛表示１１ｄに対応する数字１２ｂ、さらに、１０ｃｍ毎の計測目盛表示１１ｅに対応する数字１２ｃが設けられている。
【００２６】
また、竹尺本体１３の先端縁１４には、「０目盛」１６が先端縁１４に直接に付されていると共に、竹尺本体１３の後端縁１５には、「３０ｃｍ目盛」１７が後端縁１５に付されている。
【００２７】
１０ｃｍ毎の計測目盛表示１１ｅに対応する数字１２ｃはその他の数字１２ａ、１２ｂよりも、竹尺本体１３の幅方向内方に配置されている。
【００２８】
従って、本実施の形態に係る竹尺１０にあっては、竹尺本体１３の表面部１８には、レーザー加工により形成された、１ｃｍ毎の計測目盛１１ｃに対応する数字１２ａ及び５ｃｍ毎の計測目盛表示１１ｄに対応する数字１２ｂ、さらに、１０ｃｍ毎の計測目盛表示１１ｅに対応する数字１２ｃが設けられていることから、使用者は、従来の竹尺とは異なり、計測対象物を計測した際に、一目して計測対象物の長さ寸法を知ることができる。
【００２９】
また、本実施の形態に係る竹尺にあっては、１ｍｍ毎の計測目盛１１ａ、５ｍｍ毎の計測目盛１１ｂ、１ｃｍ毎の計測目盛１１ｃ、５ｃｍ毎の計測目盛表示１１ｄ、１０ｃｍ毎の計測目盛表示１１ｅも上記数字同様にレーザー加工により形成されていることから、計測目盛及び計測目盛に対応する数字は、従来とは異なり、輪郭部分までクリアに形成されており、使用者は計測表示及び数字の視認性が高い竹尺を提供することができる。
【００３０】
また、竹尺本体１３の先端縁１４には「０目盛」１６が先端縁１４に直接に付されていることから、計測対象物の一端部に本実施の形態に係る竹尺１０を当て、計測対象物の他端部を計測目盛で確認し、当該計測目盛に対応する数字を読むことにより計測対象物の長さ寸法等を容易に計測することができる。
【符号の説明】
【００３１】
１０      竹尺
１１      計測目盛
１１ａ    １ｍｍ毎の計測目盛
１１ｂ    ５ｍｍ毎の計測目盛
１１ｃ    １ｃｍ毎の計測目盛
１１ｄ    ５ｃｍ毎の計測目盛表示
１１ｅ    １０ｃｍ毎の計測目盛表示
１２      数字
１２ａ    １ｃｍ毎の計測目盛に対応する数字
１２ｂ    ５ｃｍ毎の計測目盛表示に対応する数字
１２ｃ    １０ｃｍ毎の計測目盛表示に対応する数字
１３      竹尺本体
１４      先端縁
１５      後端縁
１６      「０目盛」
１７      「３０ｃｍ目盛」
１８      表面部
【図１】
0003171389.tif 000003